(57)【要約】【課題】装置本体の前面には配置されていない電源ボタンの押下が面倒であることにより、省電力モードへの移行が成されないままに放置されて、不要な電力消費が発生することを防止すること。【解決手段】表示画面２２を配した装置本体の前面に設けられて、ユーザが手動でスイッチ動作させることができる複数の操作ボタン２３〜２５と、省電力モードではない時に、操作ボタン２３〜２５の内の所定の複数の操作ボタンがユーザによって同時にオン操作された時から省電力モードに移行するように制御する制御部とを備える。【選択図】図２
2014135532.tif 000002
【特許請求の範囲】
【請求項１】
表示画面を配した装置本体の前面に設けられて、ユーザが手動でスイッチ動作させることができる複数の操作ボタンと、
省電力モードではない時に、前記操作ボタンの内の所定の複数の操作ボタンがユーザによって同時にオン操作された時から省電力モードに移行するように制御する制御部と
を備える携帯情報端末。
【請求項２】
前記操作ボタンは、ユーザによってタッチされた時にオン操作がなされるタッチセンサである
請求項１に記載の携帯情報端末。
【請求項３】
前記タッチセンサは、ユーザの身体の一部が触れた時の静電容量の変化若しくは発生する圧電電圧値の変化によりオン操作がなされたことを検出する
請求項２に記載の携帯情報端末。
【請求項４】
前記省電力モードでは、前記表示画面の表示制御機能をオフにすると共に、前記表示画面を機能させる光学系への電源供給を遮断することにより、電力消費を抑える
請求項１から３のいずれか一項に記載の携帯情報端末。
【請求項５】
前記表示画面は、白黒若しくはカラーの液晶パネル、若しくは有機ＥＬ素子で構成される
請求項１から４のいずれか一項に記載の携帯情報端末。
【請求項６】
前記の表示画面を機能させる光学系は、バックライト装置である
請求項５に記載の携帯情報端末。
【請求項７】
前記所定の複数の操作ボタンを、ユーザが予め設定できるように構成した
請求項１から６のいずれか一項に記載の携帯情報端末。
【請求項８】
省電力モードではない時に、表示画面を配した装置本体の前面に設けられて、ユーザが手動でスイッチ動作させることができる複数の操作ボタンの内の所定の複数の操作ボタンがユーザによって同時にオン操作された時から省電力モードに移行するように制御する制御段階
を備える携帯情報端末の節電方法。
【請求項９】
コンピュータを、
省電力モードではない時に、表示画面を配した装置本体の前面に設けられて、ユーザが手動でスイッチ動作させることができる複数の操作ボタンの内の所定の複数の操作ボタンがユーザによって同時にオン操作された時から省電力モードに移行させるように制御する制御部
として機能させるプログラム。
【請求項１０】
コンピュータを、
省電力モードではない時に、表示画面を配した装置本体の前面に設けられて、ユーザが手動でスイッチ動作させることができる複数の操作ボタンの内の所定の複数の操作ボタンがユーザによって同時にオン操作された時から省電力モードに移行させるように制御する制御部
として機能させるプログラムを記憶する記憶媒体。
【発明の詳細な説明】
【技術分野】
【０００１】
本発明は、携帯情報端末、携帯情報端末の節電方法、プログラム及び記憶媒体に関する。
【背景技術】
【０００２】
携帯情報端末は、一般的なＰＩＭ（Ｐｅｒｓｏｎａｌ  Ｉｎｆｏｒｍａｔｉｏｎ  Ｍａｎａｇｅｒ）機能である、電子スケジュール管理、電子アドレス帳、電子メモ帳、行動リスト管理等の機能を有する。
【０００３】
このような背景に関連する技術としては、様々なものが知られている（例えば、特許文献１参照。）。
【０００４】
例えば、特許文献１には、複数のアプリケーションからユーザの所望により選択されたアプリケーションを実行するための情報処理方法が記載されている。より具体的に説明すると、この方法は、ユーザの所望に応じた処理に関する表示を行う表示手段上に形成される描画オブジェクトからなる操作子と表示手段を除いた領域上に設けられる操作子とを有する操作手段とは別に設けられるホールドスイッチ手段に対する、オン／オフを監視する。そして、この方法は、ホールドスイッチ手段のオンを確認したときには操作手段の各操作子に応じた機能をホールドする。このようにして、この方法によっては、操作をしないときは、情報処理装置に誤って電源が入らないように設定できる。
【０００５】
一方、近年、携帯電話機やＰＨＡ（Ｐｅｒｓｏｎａｌ  Ｈａｎｄｙｐｈｏｎｅ  Ｓｙｓｔｅｍ）端末等の、所謂、携帯端末には、様々な機能が搭載されるようになってきている。
【０００６】
このような背景に関連する技術としては、様々なものが知られている（例えば、特許文献２参照。）。
【０００７】
また、例えば、特許文献２には、操作部表示方法が記載されている。より具体的に説明すると、操作部と、表示デバイスと、アプリケーション制御部と、表示制御部とを具備する携帯端末によって課題を解決する。操作部は、複数のキーを有する。表示デバイスは、与えられる操作部表示データを操作部に表示する。アプリケーション制御部は、複数のキーを操作するユーザによって指定されたアプリケーションを起動する。また、アプリケーション制御部は、アプリケーションが起動されているときに、操作部に含まれる領域であって、複数のキーのキー枠内側領域とキー枠外側領域の双方に表示を行う操作部表示データを表示デバイスに与える。
【先行技術文献】
【特許文献】
【０００８】
【特許文献１】特開２００２−２６８７７６号公報
【特許文献２】再公表ＷＯ２００９／０５０９４１号公報
【発明の概要】
【発明が解決しようとする課題】
【０００９】
ところで、携帯情報端末は、任意のタイミングで省電力モードに移行させる場合、特定のボタンを押下する必要がある。しかしながら、その場合、多くのケースでは、携帯情報端末を操作している状態で、該特定のボタンを押下するために、ユーザは、携帯情報端末の持ち方を変える必要がある。このため、持ち方を変えるのが煩わしいと感じるユーザは、任意のタイミングで省電力モードに移行させることはしないで、自動的に省電力モードへ移行するまで待機するケースが多い。その結果、携帯情報端末では、余計な電力を消費していた。
【００１０】
本発明の目的は、上記問題点を解消することができる携帯情報端末、携帯情報端末の節電方法、プログラム及び記憶媒体を提供することにある。
【課題を解決するための手段】
【００１１】
上記課題を解決するために、本発明の第１の形態によると、携帯情報端末であって、表示画面を配した装置本体の前面に設けられて、ユーザが手動でスイッチ動作させることができる複数の操作ボタンと、省電力モードではない時に、操作ボタンの内の所定の複数の操作ボタンがユーザによって同時にオン操作された時から省電力モードに移行するように制御する制御部とを備える。
【００１２】
本発明の第２の形態によると、携帯情報端末の節電方法であって、省電力モードではない時に、表示画面を配した装置本体の前面に設けられて、ユーザが手動でスイッチ動作させることができる複数の操作ボタンの内の所定の複数の操作ボタンがユーザによって同時にオン操作された時から省電力モードに移行するように制御する制御段階を備える。
【００１３】
本発明の第３の形態によると、プログラムであって、コンピュータを、省電力モードではない時に、表示画面を配した装置本体の前面に設けられて、ユーザが手動でスイッチ動作させることができる複数の操作ボタンの内の所定の複数の操作ボタンがユーザによって同時にオン操作された時から省電力モードに移行させるように制御する制御部として機能させる。
【００１４】
本発明の第４の形態によると、記憶媒体であって、コンピュータを、省電力モードではない時に、表示画面を配した装置本体の前面に設けられて、ユーザが手動でスイッチ動作させることができる複数の操作ボタンの内の所定の複数の操作ボタンがユーザによって同時にオン操作された時から省電力モードに移行させるように制御する制御部として機能させるプログラムを記憶する。
【００１５】
なおまた、上記の発明の概要は、本発明の必要な特徴の全てを列挙したものではない。また、これらの特徴群のサブコンビネーションもまた、発明となり得る。
【発明の効果】
【００１６】
以上の説明から明らかなように、この発明によっては、省電力モードへの移行操作が容易になり、ユーザが積極的に省電力モードをオンにすることが期待できるので、携帯情報端末の省電力化を図ることができる。
【図面の簡単な説明】
【００１７】
【図１】一実施形態に係るスマートフォン１００のブロック構成の一例を示す構成図である。
【図２】スマートフォン１００の表示画面全面のタッチセンサ等の配置を一例として示す説明図である。
【図３】省電力モードのオン時とオフ時との双方向の状態遷移を示す状態遷移図である。
【図４】スマートフォン１００の、省電力モードオフ時から省電力モードオンに至る間の動作の一例を示すフローチャート図である。
【発明を実施するための形態】
【００１８】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００１９】
図１は、一実施形態に係るスマートフォン１００のブロック構成の一例を示す構成図である。なおまた、スマートフォン１００は、この発明における「携帯情報端末」の一例であってよい。
【００２０】
スマートフォン１００は、省電力モードへの移行を制御する必須の手段として、装置全体を制御するＣＰＵ２０（省電力モード移行の制御手段）を具備し、複数の操作ボタンの１種としてタッチセンサ４１を備える。この他に、バス３０、操作部４０、表示制御部５０、送受信部６０、レシーバ７０、作業用メモリ８０、不揮発メモリ９０（不揮発性メモリ）、ＲＯＭ１０を備えていても良い。また、スマートフォン１００は、スピーカー１１０、マイク１２０を備えていても良い。さらに、スマートフォン１００は、電源ボタン４２を備えていても良いし、表示制御部の制御対象として表示部５１を備えていても良い。
【００２１】
スマートフォン１００では、全体を制御するＣＰＵ２０（中央処理装置）が、バス３０を介して装置内の各構成要素と接続されている。以下、図１を参照して、スマートフォン１００の各構成要素の機能を説明する。操作部４０は、タッチセンサ４１及び電源ボタン４２からの入力を検知する回路である。即ち、操作部４０及びタッチセンサ４１は、ユーザがタッチセンサ操作により各種操作や省電力モードへの移行を指示するための入力手段として構成される。タッチセンサ４１は、ユーザの身体の一部が触れた時の静電容量の変化若しくは発生する圧電電圧値の変化を検出することができるセンサで構成される。タッチセンサ４１は、該検出時にオン操作がなされたことになる。上記複数の操作ボタンの１種であるこのタッチセンサ４１には、より具体的には、一般に複数のタッチセンサが含まれるものとする。ここでは、このタッチセンサ４１は、例えば、図２に示すように、上記複数の操作ボタンの具体例としてのタッチセンサ２３〜２５を備えるものとする。また、ここでは、省電力モードではないときに、ユーザが、タッチセンサ２３とタッチセンサ２５とを手操作で同時押しすることにより、省電力モードに移行するものとする。
【００２２】
表示制御部５０は、表示部５１の表示を制御する表示制御機能を有する。表示部５１は、表示制御部５０の制御の下に、アプリケーションや通信状況等を表示する。送受信部６０は、無線によって着信、発信、通話等の通信を行う回路である。レシーバ７０は、通話等で相手の音声を出力するための装置である。作業用メモリ８０は、ＲＡＭ（ランダム・アクセス・メモリ）によって構成されており、ＣＰＵ２０がプログラムを実行する上で一時的に必要とされるデータ等を格納する。
【００２３】
不揮発メモリ９０は、データの消去、書き込みを自由に行うことができる半導体メモリであり、しかも、電源を切っても内容が消えない半導体メモリである。よって、不揮発メモリ９０は、電話帳データ、各種設定値及びユーザデータなどを保持するのに好適なメモリである。ＲＯＭ１０は、ＣＰＵ２０が実行するために必要な各種制御用プログラム等の固定的なデータを格納するリードオンリ・メモリである。スピーカー１１０は、着信音、確認音、警告音等を出力するための装置である。マイク１２０は、音声を送話（入力）するための装置である。
【００２４】
図２は、スマートフォン１００の表示画面全面のタッチセンサ等の配置を一例として示す説明図である。図２に示すように、タッチセンサ４１は、具体的には、タッチセンサ２３、タッチセンサ２４、タッチセンサ２５を備える。図２に示すように、タッチセンサ４１を構成する具体的なタッチセンサ（ここでは、タッチセンサ２３〜２５）は、通常は操作し易い位置に分散配置されている。
【００２５】
図２に示すように、電源ボタン４２は、装置本体の側面に配置することができる。表示部５１は、図２に示す表示画面２２を保持する。表示画面２２は、装置本体の前面に配置されており、白黒あるいはカラーの液晶パネル、若しくは有機ＥＬ（電子蛍光）等で構成される表示画面である。表示部５１は図２に示す表示画面２２の表示を制御する。
【００２６】
図３は、省電力モードのオン時とオフ時との双方向の状態遷移を示す状態遷移図である。同図に示すように、省電力モードオフ時（符号３１）は、表示画面２２が表示状態（従って、バックライトが点灯）であり、しかも、タッチセンサ４１がオンの状態である。この状態では、通常の操作が可能である。ここから省電力モードオン時（符号３２）に遷移すると、表示制御部５０の表示制御機能がオフにされると共に、表示画面２２が非表示状態（従って、バックライトが消灯）となり、しかも、タッチセンサ４１がオフの状態となる。なお、この状態では、省電力モードをオフにするための特定のボタン以外の操作が不可の状態である。また、ここでは、前述のとおり、省電力モードではないときに、ユーザが、タッチセンサ２３とタッチセンサ２５とを手操作で同時押しすることにより、省電力モードがオンとなる（即ち省電力モードに移行する）ものとする。
【００２７】
図４は、スマートフォン１００の、省電力モードオフ時から省電力モードオンに至る間の動作の一例を示すフローチャート図である。以下、図１〜３を参照しながら、図４に示すフローチャートを使用して、スマートフォン１００の、省電力モードオフ時から省電力モードオンに至る間の動作の一例を説明する。なお、ここでは、より具体的には、電源ボタン４２（図２）が押下されたことにより、省電力モードオフへと遷移している状態から、タッチセンサ２３，２５の同時押しにより、再び省電力モードオンに至るまでの間の処理動作を示している。
【００２８】
まず、電源ボタン４２が押された場合（ステップＳ４０１：ＹＥＳ）、ＣＰＵ２０は、表示部５１をオンにして起動させると共に、表示画面２２のバックライト（図示は省略）をオンにして省電力モードオフ状態へ遷移させる（ステップＳ４０２）。また、ＣＰＵ２０は、引き続き、タッチセンサ４１をオンにして該センサの入力機能を有効化する（ステップＳ４０３）。これにより、スマートフォン１００は、図３に示す符号３２の状態（省電力モードオン状態）から符号３１の状態（省電力モードオフ状態）へ遷移する。
【００２９】
なお、電源ボタン４２が押下されていない場合（ステップＳ４０１：ＮＯ）は、ＣＰＵ２０は、ここでは、電源ボタン４２が押下されるまで待機する（即ち、図３での符号３２の状態を維持することになる）。但し、ＣＰＵ２０には、上記の待機中に、マルチタスク制御により、他の処理を実行させることが可能である。
【００３０】
ＣＰＵ２０は、省電力モードオフ移行後（図３では符号３１の状態）、両端のタッチセンサ（図２におけるタッチセンサ２３及びタッチセンサ２５）が同時に押下されたか否か、若しくは電源ボタン４２が押下されたか否かを検証する。上記両端のタッチセンサが同時に押下されたか、若しくは電源ボタン４２が押下された場合（ステップＳ４０４：ＹＥＳ）、ＣＰＵ２０は、表示部５１の起動と表示画面２２のバックライトとをオフにする。
【００３１】
これにより、スマートフォン１００は、省電力モードオン状態へと遷移する（ステップＳ４０５）。引き続き、ＣＰＵ２０は、タッチセンサ４１をオフにして無効化し（ステップＳ４０６）、ここでの処理を終了する。この終了時点では、スマートフォン１００は、図３における符号３１の状態から符号３２の状態へと遷移している。また、上記両端のタッチセンサが同時押下されておらず、しかも、電源ボタン４２も押下されていない場合（ステップＳ４０４：ＮＯ）は、ＣＰＵ２０は、単なる待機状態となる（よって、図３に示す符号３１の状態が維持される）。
【００３２】
スマートフォン１００によれば、既存の省電力モード移行ボタンに加えて、タッチセンサ４１の操作によっても省電力モードへ移行できるように構成したので、省電力モードへの移行操作が容易になる効果がある。また、省電力モードへの移行操作が容易となることにより、ユーザが積極的に省電力モードをオンにすることが期待できるので、スマートフォン１００の省電力化を図ることができる効果が得られる。
【００３３】
また、スマートフォン１００によれば、タッチセンサデバイスでもって構成することができるので、新たに専用デバイスを追加する必要がなく、製造コスト増加の抑止効果が得られる。
【００３４】
また、スマートフォン１００によれば、複数のタッチセンサの両端同時押し操作（即ちタッチ箇所の間を空ける）ことで、意図しない省電力モードオンへと誤って移行してしまうことを抑止できる効果がある。
【００３５】
さらに、スマートフォン１００によれば、省電力モードオンに遷移した以後は、タッチセンサ２３，２５の操作をオフ（無効）にするので、ユーザが誤ってタッチセンサ２３，２５に触れたとしても省電力モードオフに遷移することがない。このため、スマートフォン１００の使用途中での処理中断等の誤操作を防止できる効果が望める。
【００３６】
上記実施の形態では、タッチセンサの両端（タッチセンサ２３及びタッチセンサ２５）を押下する場合について説明したが、省電力モードへの遷移のために押下可能なタッチセンサは、必ずしも上記両端のタッチセンサとは限らない。例えば、同時押しする箇所（タッチセンサの位置）をユーザが予め設定できるように構成しても良い。
【００３７】
さらに、上記の説明では省電力モードオフへの遷移に係わる構成要素を、タッチセンサとして説明したが、タッチセンサではなくても、通常のボタンを用いても良い。また、省電力モードオフへの遷移に係わる構成要素を、例えば、両端をタッチセンサとし、中央部は通常のボタンとするなど、複数の種類の入力手段が混在していても良い。また、前述の実施形態では、２つのタッチセンサを同時押しする場合について説明したが、タッチセンサ等は３つ以上を同時押しにする実施形態であっても良い。さらに、上記同時押しするタッチセンサの個数を予め設定できるように構成しても良い。
【符号の説明】
【００３８】
１０  ＲＯＭ
２０  ＣＰＵ
２２  表示画面
２３  タッチセンサ
２４  タッチセンサ
２５  タッチセンサ
３０  バス
４０  操作部
４１  タッチセンサ
４２  電源ボタン
５０  表示制御部
５１  表示部
６０  送受信部
７０  レシーバ
８０  作業用メモリ
９０  不揮発メモリ
１００  スマートフォン
１１０  スピーカー
１２０  マイク
【図１】
2014135532.tif 000003
【図２】
2014135532.tif 000004
【図３】
2014135532.tif 000005
【図４】
2014135532.tif 000006